(57)【要約】      （修正有）【課題】プッシュボタンヘッド端面に付いているロゴまたは商標の位置を規定の正確な角度位置または角度方位に調整することが容易に可能なプッシュボタン装置を提供する。【解決手段】プッシュボタン装置１に関し、このプッシュボタン装置は、時計ケースに対するプッシュボタンヘッド２ａの角度方位を調整するための装置を備え、角度方位調整装置は、筒４の内部で中心シャフト３の周りに同心状に配置された摩擦リング１７を含み、摩擦リングは、中心シャフトと一体に回転し、中心シャフトに対して並進は自由であり、摩擦リングは、筒の内壁と摩擦接触する外側摩擦面を有し、中心シャフトは、中心シャフトを回転操作するための手段２ｂを含み、これにより、プッシュボタンヘッドの角度方位の調整のために、摩擦リングによって生じる摩擦力に抗してプッシュボタン２を回転させることを可能としている。【選択図】図２
2019045483.tif 000002
【特許請求の範囲】
【請求項１】
時計用のプッシュボタン装置であって、
時計ケースに組み付けられるための、略円筒状の筒と、
前記筒内に係合するとともに軸方向にスライド可能に設置されたプッシュボタンであって、その近位端に、ユーザによるプッシュボタンの操作を可能とするためのヘッドを装備し、前記ヘッドは、前記時計の内部と外部との接続を遠位端において確保するための中心シャフトと一体であり、前記ヘッドの前面にロゴまたは商標を含む、プッシュボタンと、
前記シャフトを取り囲む戻しバネであって、軸方向の力を発生させるために、前記筒の内側ショルダと前記プッシュボタンヘッドとの間に介挿された戻しバネと、
前記中心シャフトと前記筒の内壁との間のシールを確保するために、前記中心シャフトを取り囲む少なくとも１つのシールガスケットと、
前記戻しバネの押圧力に抗して前記プッシュボタンを前記筒内に保持するための止め部材と、を備える、装置において、
当該装置は、前記時計ケースに対する前記ヘッドの角度方位を調整するための装置をさらに備え、
前記角度方位調整装置は、前記筒の内部で前記中心シャフトの周りに同心状に配置された摩擦リングを含むことと、
前記摩擦リングは、前記中心シャフトと一体に回転し、前記中心シャフトに対して並進は自由であることと、
前記摩擦リングは、前記筒の内壁と摩擦接触する外側摩擦面を有することと、
前記中心シャフトは、前記中心シャフトを回転操作するための手段を含み、これにより、前記ヘッドの角度方位の調整のために、前記摩擦リングによって生じる摩擦力に抗して前記プッシュボタンを回転させることを可能としていること、を特徴とするプッシュボタン装置。
【請求項２】
前記操作手段は、前記中心シャフトの遠位部に配設されたスロットを含むことを特徴とする、請求項１に記載のプッシュボタン装置。
【請求項３】
前記操作手段は、前記中心シャフトの遠位端に螺着されたナットであり、前記ナットは前記止め部材をも形成している、ことを特徴とする、請求項１に記載のプッシュボタン装置。
【請求項４】
前記筒内で前記摩擦リングによって生じる摩擦トルクは、前記シャフト上の前記ナットのネジトルクよりも大きいことを特徴とする、請求項３に記載のプッシュボタン装置。
【請求項５】
前記中心シャフトと前記リングを回転一体とするために、前記摩擦リングは、多角形の開口を有し、前記中心シャフトは、前記開口に相補的な多角形断面を有する、ことを特徴とする、請求項１〜４のいずれかに記載のプッシュボタン装置。
【請求項６】
前記筒は、第１の収容部を規定する第１の内径を有し、さらに、前記第１の直径よりも小さい第２の直径によって延長されて、前記第２の直径により、ショルダおよび第２の収容部を規定している、ことを特徴とする、請求項１〜５のいずれかに記載のプッシュボタン装置。
【請求項７】
前記ヘッドは、前記第１の収容部の内部に配置されており、前記摩擦リングは、前記第２の収容部の内部に配置されており、前記中心シャフトは、前記第１の収容部と前記第２の収容部の中に延出して、前記遠位端によって前記第２の収容部から突き出ている、ことを特徴とする、請求項６に記載のプッシュボタン装置。
【請求項８】
前記ショルダは、その中央部において、前記中心シャフトを取り囲むワッシャを受容しており、前記戻しバネは、前記ヘッドと前記ショルダとの間に延在しており、前記少なくとも１つのシールガスケットは、前記ワッシャと前記摩擦リングとの間に延在している、ことを特徴とする、請求項６または７に記載のプッシュボタン装置。
【請求項９】
当該装置は、前記中心シャフトを取り囲む２つのシールガスケットを備え、それらの間にスペーサを形成するリングが介挿されている、ことを特徴とする、請求項８に記載のプッシュボタン装置。
【請求項１０】
前記止め部材は、前記第２の収容部から突き出た前記中心シャフトの前記遠位端に配設されていることを特徴とする、請求項７〜９のいずれかに記載のプッシュボタン装置。
【請求項１１】
前記止め部材は、前記中心シャフトの前記遠位端の環状溝に配設された弾性リングで形成されていることを特徴とする、請求項１０に記載のプッシュボタン装置。
【請求項１２】
前記操作手段は、前記中心シャフトの遠位部に配設されていることを特徴とする、請求項１〜１１のいずれかに記載のプッシュボタン装置。
【請求項１３】
請求項１〜１２のいずれかに記載のプッシュボタン装置を含む、時計ケース。
【発明の詳細な説明】
【技術分野】
【０００１】
本発明は、時計用のプッシュボタン装置に関し、より具体的には、プッシュボタンヘッドがその端面にモチーフまたはロゴを含むとともに、そのモチーフを所望の方位に向けることが可能な、この種の装置に関するものである。
【背景技術】
【０００２】
時計用のプッシュボタン装置は、典型的には円筒を有し、その内部に貫通してプッシュボタンが長手方向に配置されており、プッシュボタンは、指圧が加えられたときに筒内に形成された第１のショルダに当接する下面を有するヘッドと、典型的にはネジである止め部材において一端が終端しているシャフトと、を備え、この止め部材によって、筒内でのシャフトの軸方向隙間を制限している。一般的に、シールガスケットで、シャフトを取り囲むとともに、プッシュボタンを規定位置に戻すための戻しコイルバネを、シャフトの周りに巻回している。
【０００３】
上記の説明に従って構成されたプッシュボタンは、現状技術において周知である。それらは、例えば日付修正用に、例えばクロノグラフまたは腕時計に装備されている。それらは、ミドルケースから突き出ている場合には「プッシュボタン」と呼ばれ、それらを指で押圧すると、機能の修正が可能である。押圧をやめると、プッシュボタンは元の位置に戻る。それらは、ミドルケースに埋め込まれている場合には、通常「コレクタ」と呼ばれる。
【０００４】
このようなプッシュボタンは、時計ケースに螺嵌または圧嵌されるものの製造および組み付けが、よく知られている。ところが、そのようなプッシュボタン装置を組み付ける方法は、プッシュボタンのヘッド端面に、例えばロゴ、商標、もしくは類似の標識などの、刻印またはモチーフが付いている場合、これらのプッシュボタンには適さない。実際に、周知の組み付け方法は、概して、プッシュボタン装置を、その筒を時計ケースに螺嵌または圧嵌することにより組み付けるときに、プッシュボタンヘッドをケースに対して規定の正確な角度方位に向けることを可能とするものではない。従って、この方法では、プッシュボタンヘッドの端面に刻印が付いている場合に、時計の美的外観を損なう。この状況は、それらのプッシュボタン装置が高品質かつ高級な製品に装着される場合には、明らかに容認できない。
【発明の概要】
【発明が解決しようとする課題】
【０００５】
本発明の目的は、プッシュボタンヘッドがその端面にロゴまたは商標のようなモチーフを有する場合に、そのヘッド端面に付いているロゴまたは商標の位置を規定の正確な角度位置または角度方位に調整することが容易に可能な、単純かつ経済的な設計のプッシュボタン装置を提供することにより、上記の従来技術の欠点を克服することである。
【課題を解決するための手段】
【０００６】
この目的のため、本発明は、時計用のプッシュボタン装置に関し、このプッシュボタン装置は、
−  時計ケースに組み付けられるための、略円筒状の筒と、
−  その筒内に係合するとともに軸方向にスライド可能に設置されたプッシュボタンであって、その近位端に、ユーザによるプッシュボタンの操作を可能とするためのヘッドを装備し、このヘッドは、時計の内部と外部との接続を遠位端において確保するための中心シャフトと一体であり、ヘッドの前面にロゴまたは商標を含む、プッシュボタンと、
−  そのシャフトを取り囲む戻しバネであって、軸方向の力を発生させるために、筒の内側ショルダとプッシュボタンヘッドとの間に介挿された戻しバネと、
−  中心シャフトと筒の内壁との間のシールを確保するために、中心シャフトを取り囲む少なくとも１つのシールガスケットと、
−  戻しバネの押圧力に抗してプッシュボタンを筒内に保持するための止め部材と、を備える、装置において、
−  この装置は、時計ケースに対するヘッドの角度方位を調整するための装置をさらに備え、
−  その角度方位調整装置は、筒の内部で中心シャフトの周りに同心状に配置された摩擦リングを含むことと、
−  摩擦リングは、中心シャフトと一体に回転し、中心シャフトに対して並進は自由であることと、
−  摩擦リングは、筒の内壁と摩擦接触する外側摩擦面を有することと、
−  中心シャフトは、中心シャフトを回転操作するための手段を含み、これにより、ヘッドの角度方位の調整のために、摩擦リングによって生じる摩擦力に抗してプッシュボタンを回転させることを可能としていること、を特徴とする。
【０００７】
本発明の他の効果的な態様によれば、
・  操作手段は、中心シャフトの遠位端に配設されたスロットを含む。
・  操作手段は、中心シャフトの遠位端に螺着されたナットであってよく、そのナットは止め部材をも形成し、この場合、筒内で摩擦リングによって生じる摩擦トルクは、中心シャフト上のナットのネジトルクよりも大きいことが好ましい。
・  中心シャフトとリングを回転一体とするために、摩擦リングは、多角形の開口を有し、中心シャフトは、その開口に相補的な多角形断面を有する。
・  筒は、第１の収容部を規定する第１の内径を有し、さらに、第１の直径よりも小さい第２の直径によって延長されて、この第２の直径により、ショルダおよび第２の収容部を規定している。
・  ヘッドは、第１の収容部の内部に配置されており、摩擦リングは、第２の収容部の内部に配置されており、中心シャフトは、第１の収容部と第２の収容部の中に延出して、その遠位端によって第２の収容部から突き出ており、好ましくは、ショルダは、その中央部において、中心シャフトを取り囲むワッシャを受容しており、戻しバネは、ヘッドとショルダとの間に延在しており、少なくとも１つのシールガスケットは、ワッシャと摩擦リングとの間に延在しており、効果的には、この装置は、中心シャフトを取り囲む２つのシールガスケットを備え、それらの間にスペーサを形成するリングが介挿される。
・  止め部材は、第２の収容部から突き出た中心シャフトの遠位端に配設されており、好ましくは、止め部材は、中心シャフトの遠位端の環状溝に配設された弾性リングで形成される。
・  操作手段は、中心シャフトの遠位部に配設される。
【０００８】
本発明は、さらに、上記のようなプッシュボタン装置を含む時計ケースに関する。
【０００９】
本発明の他の特徴および効果は、非限定的な例として、添付の図面を参照して提示される好ましい実施形態についての以下の詳細な説明から、より明らかになるであろう。
【図面の簡単な説明】
【００１０】
【図１】図１は、方位性があるプッシュボタンヘッドを有するプッシュボタン装置の上面図を示しており、本発明によるプッシュボタンヘッドの外面に、ロゴが設けられている。
【図２】図２は、図１のＩＩ−ＩＩ線に沿った、本発明による方位性があるプッシュボタンヘッドを有するプッシュボタン装置の断面図を示している。
【図３】図３は、図２のＩＩＩ−ＩＩＩ線に沿った、本発明による方位性があるプッシュボタンヘッドを有するプッシュボタン装置の断面を示している。
【図４】図４は、図２のＩＶ−ＩＶ線に沿った、本発明による方位性があるプッシュボタンヘッドを有するプッシュボタン装置の断面を示している。
【発明を実施するための形態】
【００１１】
図１および２は、方位性があるプッシュボタンヘッド２ａを有するプッシュボタン装置１を示しており、これは、時計のミドルケース（図示せず）の側壁に圧嵌または螺嵌によって取り付けられるためのものである。
【００１２】
プッシュボタン装置１の上面図である図１には、プッシュボタン２のヘッド２ｂの外面２ａに配置された「ＬＯＧＯ」という刻印を示している。プッシュボタン装置１は、図２〜４を参照して後述する方位調整手段を備える。美的理由で、「ＬＯＧＯ」という刻印Ｌは、好ましくはプッシュボタン装置１が取り付けられる時計のミドル部の平面に対応した、完全な水平姿勢に調整される。
【００１３】
プッシュボタン装置１は、プッシュボタン２を備え、これの近位端には、ユーザによるプッシュボタンの操作を可能とするためのプッシュボタンヘッド２ｂが設けられている。プッシュボタンヘッド２ｂは、時計ケースの内部と外部との接続を遠位端において確保している中心シャフト３と一体である。プッシュボタンヘッド２は、中心シャフト３の近位部を取り囲む滑らかな環状凹部２ｃを有する。
【００１４】
プッシュボタン装置１は、時計ケースに組み付けられるための略円筒状の筒４をさらに備える。図示の例では、筒４は、その下部４ａによって、時計のミドルケースの開口に圧嵌されるためのものである。筒４は、下部４ａよりも大きい直径の上部４ｂを有する。筒４は、その上部の下側領域に環状溝５を有し、その溝の中に、この筒をミドルケースに対してシールするＯリングジョイント６を収容している。
【００１５】
本発明の実施形態によれば、筒４は、ミドルケースから突き出た上部で終端しているか、またはミドルケースに埋め込まれているか、いずれかとすることができる。
【００１６】
筒４は、第１の収容部７ａを規定する第１の内径を有し、さらに、第１の直径よりも小さい第２の内径によって延長されて、この第２の内径により、第２の収容部７ｂおよび内側ショルダ７ｃを規定している。プッシュボタンのレスト位置において、プッシュボタンヘッド２ｂは、収容部７ａ内に部分的に係合しており、ユーザの指でプッシュボタンが操作されると、さらにショルダ７ｃに当接するまで係合することができる。
【００１７】
中心シャフト３は、筒４の内部で、その長手軸Ａに沿ってスライド可能、かつ自由に回転可能に、筒４の内部に配置されている。
【００１８】
また、プッシュボタン装置１は、戻しコイルバネ１０をさらに備えることも示しており、これは、シャフト３の近位部を取り囲むとともに、凹部２ｃ内および収容部７ａ内に部分的に収容されている。バネ１０は、プッシュボタンヘッド２ｂに対するユーザの指による軸方向の押圧力に抵抗するためのものである。バネ１０は、凹部２ｃの底と筒４の内側ショルダ７ｃとの間で圧縮されて設置されている。図示の例では、内側ショルダ７ｃは、中心シャフト３を取り囲むワッシャ１２を受容する中央環状凹部１１を有する。また、このワッシャ１２は、ワッシャ１４が間に介挿された一対のシールガスケット１３の上にも掛かっている。
【００１９】
図示の例では、中心シャフト３は、収容部７ｂから突き出たその遠位端に環状溝１５を有し、この溝内に、筒４の遠位端に当接するまで動く弾性リング１６が配設されている。このように、弾性リング１６は、筒４内のプッシュボタン２のための止め部材を形成している。なお、注目されるのは、筒４の遠位端は、第２の直径よりも小さい第３の直径で終端しており、この第３の直径により、一方で中心シャフト３の遠位端のための通路を規定し、他方で第２の内側ショルダ４ｃを規定しているということである。
【００２０】
プッシュボタン装置は、時計ケースに対するプッシュボタンヘッド２ｂの角度方位を調整するための装置をさらに備える。この調整装置は、中心シャフト３の周りに同心状に配置された摩擦リング１７を含む。
【００２１】
摩擦リングは、ワッシャ１４と第２のショルダ４ｃとの間に配設されており、図示の例では、摩擦リング１７は、より具体的には、下側環状ガスケット１３とショルダ４ｃとの間に配置されている。なお、変形例において、摩擦リング１７を上側環状ガスケット１３とワッシャ１４との間に配置することができることは明らかである。摩擦リング１７は、筒４の収容部７ｂの内壁に対して締まり嵌めとなる直径の円筒外面１７ａを有し、従って、その壁に摩擦接触する。
【００２２】
図３に示すように、開口１７ｂ内でシャフトの自由な並進を可能としつつ、シャフト３とリング１７を回転一体とするために、摩擦リング１７は、この場合は六角形である多角形の中央開口１７ｂを有し、中心シャフト３は、開口１７ｂに相補的な多角形断面を有する。
【００２３】
なお、注目されるのは、中心シャフト３は、その遠位面３ａに、工具の先端と協働するためのスロット１８を有するということであり、これにより、リングによって生じる摩擦力に抗して中心シャフト３を回転操作することで、プッシュボタンヘッド２ｂの角度方位を調整する。このように、スロット１８は、プッシュボタン２を回転操作する手段としてとして機能し、これにより、プッシュボタンを回転させることで、そのヘッド２ｂの角度方位を規定の角度位置に調整することが可能となる。これに関連して、注目されるのは、適切な摩擦トルクの調整のために、内壁の表面および／またはリングの円筒外面１７ａをテクスチャ加工することができるということである。
【００２４】
なお、図示していない変形実施形態において、本発明の範囲から逸脱することなく、例えば、筒４から突き出た中心シャフト３の遠位部に螺着されて止め部材として機能するナットを、そのネジ端面にプッシュボタン操作手段として直接配設されるスロットと共に、設けることを想定することができる。この場合、収容部７ｂの内壁に対する摩擦リング１７の摩擦嵌合は、筒４内で摩擦リングによって生じる摩擦トルクが、中心シャフト３上のナットのネジトルクよりも大きいように選択される。この変形例では、ナットは、二重の機能を有することになり、すなわち、プッシュボタンのための止め部材と、プッシュボタンを回転させて角度方位を設定するための操作手段と、その両方を形成している。
【００２５】
プッシュボタン装置を組み付けるための、さらにプッシュボタンを方位設定するための方法は、以下の通りである。筒４の遠位端に当接する弾性リング１６を有して、組み立てが完了したプッシュボタン装置１を、時計のミドルケースの開口内に圧嵌または螺嵌させる。圧嵌または螺嵌させることで、筒４をミドルケース内で不動としたら、ミドルケースの内側からスロット１８に差し込んだ工具によって、中心シャフト３を回転操作することができ、プッシュボタンヘッドを回転駆動することができる。これにより、プッシュボタンヘッドは、次に、開口１７ｂと中心シャフト３の断面との多角形連結によって、摩擦リング１７を所望の角度方位に動かす。リング１７は、この摩擦リング１７の外面１７ａと筒４の下側収容部７ｂの内壁との間に生じる拘束摩擦トルクに抗して、筒４内で回転する。
【符号の説明】
【００２６】
１      プッシュボタン装置
２      プッシュボタン
２ａ    プッシュボタンヘッドの外面
２ｂ    プッシュボタンヘッド
２ｃ    環状凹部
３      中心シャフト
３ａ    （中心シャフトの）遠位面
４      筒
４ａ    （筒の）下部
４ｂ    （筒の）上部
４ｃ    第２の内側ショルダ
５      環状溝
６      Ｏリングジョイント
７ａ    第１の収容部
７ｂ    第２の収容部
７ｃ    内側ショルダ
１０    戻しバネ
１１    （内側ショルダの）中央環状凹部
１２    ワッシャ
１３    ガスケット
１４    ワッシャ（リング）
１５    環状溝
１６    弾性リング
１７    摩擦リング（角度方位調整装置）
１７ａ  （摩擦リングの）円筒外面
１７ｂ  （摩擦リングの）開口
１８    スロット（操作手段）
Ｌ      刻印
ＩＩ    断面線
ＩＩＩ  断面線
ＩＶ    断面線
【図１】
2019045483.tif 000003
【図２】
2019045483.tif 000004
【図３】
2019045483.tif 000005
【図４】
2019045483.tif 000006